(57)【要約】【課題】スライド部材を引き出す際、引き出し方向に過大な力が加わってもスライド部材が容易に引き抜かれることのないコネクタを提供する。【解決手段】スライド部材３０を引き出す際、スライド部材３０の操作部３３ｄを押圧することにより、可動部３３の後端側をスライド部材３０の幅方向外側に向かって移動させ、操作部３３ｄを押圧したまま把持部３４を把持してスライド部材３０を所定位置まで引き出すと、スライド部材３０の第２の係止部３３ｂがコネクタ本体１０の第２の係止部１７ｂ側に押圧された状態で各第２の係止部３３ｂ，１７ｂが互いに係止するようにしたので、スライド部材３０に引き出し方向への過大な力が加わっても、各第２の係止部３３ｂ，１７ｂの係止状態が容易に解除されることがなく、スライド部材３０の引き抜きを効果的に防止することができる。【選択図】図７
2008103121.tif 000002
【特許請求の範囲】
【請求項１】
接続対象物の一端側が挿入されるコネクタ本体と、コネクタ本体に挿入された接続対象物に電気的に接触する複数の端子と、一端側をコネクタ本体内に挿入することにより接続対象物を端子側に押圧するスライド部材とを備え、スライド部材をコネクタ本体側から引き出すと、スライド部材による接続対象物への押圧が解除されるようにしたコネクタにおいて、
前記スライド部材の幅方向両側に接続対象物の挿入方向に延びるように設けられ、一端側をスライド部材の幅方向内側に向かって押圧すると他端側がスライド部材の幅方向外側に向かって移動する可動部と、
可動部の他端側にスライド部材の幅方向内側に向かって突設され、スライド部材をコネクタ本体の所定位置まで挿入すると、コネクタ本体の所定位置に係止する第１の係止部と、
可動部の他端側にスライド部材の幅方向外側に向かって突設され、スライド部材をコネクタ本体から所定位置まで引き出すと、コネクタ本体の他の所定位置に係止する第２の係止部とを備えた
ことを特徴とするコネクタ。
【請求項２】
前記可動部とスライド部材との間に弾性変形可能な弾性部を設けた
ことを特徴とする請求項１記載のコネクタ。
【請求項３】
前記可動部の一端側に可動部をスライド部材の幅方向内側に向かって押圧可能な操作部を設け、
スライド部材の幅方向両側には操作部の近傍に位置する把持部を設けた
ことを特徴とする請求項１または２記載のコネクタ。
【発明の詳細な説明】
【技術分野】
【０００１】
本発明は、例えばフレキシブルプリント回路（ＦＰＣ）やフレキシブルフラットケーブル（ＦＦＣ）等の接続対象物を接続するためのコネクタに関するものである。
【背景技術】
【０００２】
従来、この種のコネクタとしては、ＦＰＣやＦＦＣ等の接続対象物の一端側が挿入されるコネクタ本体と、コネクタ本体に挿入された接続対象物に電気的に接触する複数の端子と、一端側をコネクタ本体内に挿入することにより接続対象物を端子側に押圧するスライド部材とを備え、スライダをコネクタ本体側から引き出すと、スライド部材による接続対象物への押圧が解除されるようにしたものが知られている（例えば、特許文献１参照。）。
【０００３】
このコネクタでは、スライド部材の幅方向両側にコネクタ本体に係止する弾性変形可能な係合部を設け、スライド部材を引き出すと、係合部に設けたロック部がコネクタ本体から外れた後、係合部の先端側に設けた仮ロック部がコネクタ本体に係止し、スライド部材の引き出し方向への移動が規制されるようになっている。
【特許文献１】特開２００４−１３９９２３号公報
【発明の開示】
【発明が解決しようとする課題】
【０００４】
しかしながら、前記コネクタでは、スライド部材を引き出した際、係合部の弾性力のみで仮ロック部とコネクタ本体との係止状態を保持するようにしているため、スライド部材の引き出し方向に過大な力が加わると、係合部の弾性力に抗して仮ロック部がコネクタ本体から外れ、スライド部材が引き抜かれるという問題点があった。
【０００５】
本発明は前記問題点に鑑みてなされたものであり、その目的とするところは、スライド部材を引き出す際、引き出し方向に過大な力が加わってもスライド部材が容易に引き抜かれることのないコネクタを提供することにある。
【課題を解決するための手段】
【０００６】
本発明は前記目的を達成するために、接続対象物の一端側が挿入されるコネクタ本体と、コネクタ本体に挿入された接続対象物に電気的に接触する複数の端子と、一端側をコネクタ本体内に挿入することにより接続対象物を端子側に押圧するスライド部材とを備え、スライド部材をコネクタ本体側から引き出すと、スライド部材による接続対象物への押圧が解除されるようにしたコネクタにおいて、前記スライド部材の幅方向両側に接続対象物の挿入方向に延びるように設けられ、一端側をスライド部材の幅方向内側に向かって押圧すると他端側がスライド部材の幅方向外側に向かって移動する可動部と、可動部の他端側にスライド部材の幅方向内側に向かって突設され、スライド部材をコネクタ本体の所定位置まで挿入すると、コネクタ本体の所定位置に係止する第１の係止部と、可動部の他端側にスライド部材の幅方向外側に向かって突設され、スライド部材をコネクタ本体から所定位置まで引き出すと、コネクタ本体の他の所定位置に係止する第２の係止部とを備えている。
【０００７】
これにより、スライド部材をコネクタ本体内に挿入すると、スライド部材の可動部の第１の係止部がコネクタ本体の所定位置に係止し、スライド部材の引き出し方向への移動が規制される。また、スライド部材を引き出す場合には、可動部の一端側をスライド部材の幅方向内側に向かって押圧すると、可動部の後端側がスライド部材の幅方向外側に向かって移動し、可動部の第１の係止部がコネクタ本体から外れる。次に、可動部を押圧したままスライド部材を所定位置まで引き出すと、スライド部材の第２の係止部がコネクタ本体の他の所定位置に係止し、スライド部材の引き出し方向への移動が規制される。その際、可動部の一端側の押圧により、スライド部材の第２の係止部がコネクタ本体側に押圧された状態でコネクタ本体に係止することから、スライド部材に引き出し方向への過大な力が加わっても、第２の係止部の係止状態が容易に解除されることがない。
【発明の効果】
【０００８】
本発明のコネクタによれば、スライド部材に引き出し方向への過大な力が加わっても、スライド部材とコネクタ本体との係止状態が容易に解除されることがないので、スライド部材の引き抜きを効果的に防止することができる。
【発明を実施するための最良の形態】
【０００９】
図１乃至図７は本発明の一実施形態を示すもので、図１はコネクタの斜視図、図２はコネクタの分解斜視図、図３はコネクタの要部平面図、図４はその要部平面断面図、図５は図４のＡ−Ａ線矢視方向要部断面図、図６はコネクタの動作を示す側面断面図、図７はその要部平面断面図である。
【００１０】
このコネクタは、接続対象物としてのＦＦＣ１の一端を挿入可能なコネクタ本体１０と、コネクタ本体１０に挿入されたＦＦＣ１の接点と電気的に接触する複数の端子２０と、ＦＦＣ１を各端子２０側に押圧するスライド部材３０と、コネクタ本体１０を図示しない基板に固定する左右一対の固定部材４０とから構成されている。
【００１１】
ＦＦＣ１は互いに幅方向に間隔をおいて配列された導線１ａを平形の絶縁材１ｂで被覆され、先端部を除く長手方向一部の絶縁材１ｂを除去することにより、各導線１ａを露出させている。
【００１２】
コネクタ本体１０は合成樹脂の成形品からなり、前面側を開口した中空状に形成されている。即ち、コネクタ本体１０は、上面部１１、背面部１２、側面部１３及び底面部１４からなり、その前面開口部からＦＦＣ１が挿入されるようになっている。コネクタ本体１０内には複数の端子孔１５が互いに幅方向に等間隔で設けられ、各端子孔１５間には各端子２０間を幅方向に仕切る仕切壁１６が設けられている。各側面部１３にはそれぞれ前後方向に延びる長孔１７が設けられ、各長孔１７にはスライド部材３０が前後方向に移動自在に係合するようになっている。長孔１７内の幅方向一方の面（コネクタ本体１０の幅方向内側の面）にはスライド部材３０の所定位置に係止する第１の係止部１７ａが設けられ、長孔１７の幅方向他方の面（コネクタ本体１０の幅方向外側の面）にはスライド部材３０の他の所定位置に係止する第２の係止部１７ｂが設けられている。この場合、第２の係止部１７ｂはコネクタ本体１０の前端側に配置され、第１の係止部１７ａは第２の係止部１７ｂよりも後方に配置されている。また、背面部１２の幅方向両端側には各固定部材４０をそれぞれ保持するための溝１２ａが設けられている。
【００１３】
各端子２０は導電性の金属からなり、コネクタ本体１０の各端子孔１５内に背面部１２側から挿入されている。各端子２０は、前後方向に延びる弾性片部２１と、上下に重なり合うように屈曲する屈曲部２２とを有し、弾性片部２１の前端にはＦＦＣ１との接触部２１ａが設けられている。また、屈曲部２２の後端には図示しない基板に接続される基板接続部２２ａが設けられている。
【００１４】
スライド部材３０は合成樹脂の成形品からなり、ＦＦＣ１を保持する保持部３１と、コネクタ本体１０内に挿入される押圧片３２と、コネクタ本体１０の各長孔１７内に挿入される左右一対の可動部３３とから構成されている。保持部３１は上面側にＦＦＣ１を載置可能な凹状に形成され、その上面にはＦＦＣ１の各導線１ａ間にそれぞれ位置する複数のガイド部３１ａが互いに幅方向に間隔をおいて突設されている。押圧片３２は保持部３１からコネクタ本体１０の後方に向かって延びるように形成され、後端側に向かって厚さ寸法が徐々に小さくなるように形成されている。また、押圧片３２の上面にはＦＦＣ１の各導線１ａ間にそれぞれ位置する複数の溝３２ａが互いに幅方向に間隔をおいて設けられている。可動部３３はスライド部材３０の前後方向に延びるように形成され、コネクタ本体１０の長孔１７内に前後方向に移動自在に挿入されるようになっている。可動部３３の幅方向一方の面（コネクタ本体１０の幅方向内側の面）にはコネクタ本体１０の第１の係止部１７ａに係止する第１の係止部１３ａがコネクタ本体１０の幅方向内側に向かって突設され、可動部３３の幅方向他方の面（コネクタ本体１０の幅方向外側の面）にはコネクタ本体１０の第２の係止部１７ｂに係止する第２の係止部３３ｂがコネクタ本体１０の幅方向外側に向かって突設されている。この場合、第１及び第２の係止部３３ａ，３３ｂは可動部３３の後端側に配置され、第１の係止部３３ａは第２の係止部３３ｂよりも前方に配置されている。また、可動部３３は前後方向略中央から保持部３１側に延びる弾性部３３ｃを介してスライド部材３０と一体に形成され、可動部３３の前端にはスライド部材３０の幅方向外側に向かって突出する操作部３３ｄが設けられている。即ち、操作部３３ｄをスライド部材３０の幅方向内側に向かって押圧すると、弾性部３３ｃの弾性変形により、可動部３３の後端側がスライド部材３０の幅方向外側に向かって移動するようになっている。また、スライド部材３０の幅方向両側には可動部３３の前方に位置する左右一対の把持部３４が設けられ、把持部３４は操作部３３ｄの近傍にスライド部材３０の幅方向外側に向かって延びるように形成されている。この場合、操作部３３ｄは把持部３４よりも幅方向外側に突出するように形成されている。
【００１５】
各固定部材４０は略コ字状に屈曲した金属板からなり、コネクタ本体１０の溝１２ａに挿入されている。この場合、固定部材４０は、その下面側がコネクタ本体１０の下方に位置するようになっている。
【００１６】
以上のように構成されたコネクタにおいては、各端子２０の基板接続部２２ａ及び各固定部材４０を図示しない基板に半田付けすることにより、各端子２０が基板に接続され、コネクタ本体１０が基板に固定される。また、ＦＦＣ１をコネクタに接続する場合は、スライド部材３０を前方に引き出し、図６(a) に示すようにＦＦＣ１をコネクタ本体１０内に挿入する。その際、ＦＦＣ１の各導線１ａをスライド部材３０の各ガイド部３１ａ間に位置させることにより、ＦＦＣ１が幅方向に位置決めされる。次に、ＦＦＣ１の各導線１ａを各端子２０の弾性片部２１の下方に位置させ、スライド部材３０をスライド部材３０をコネクタ本体１０内に挿入する。これにより、図６(b) に示すようにスライド部材３０の押圧片３２によって各導線１ａが各端子２０の弾性片部２１側に押圧され、各導線１ａと各弾性片部２１の接触部２１ａとが互いに圧接して電気的に接続される。その際、図５に示すように各端子２０間の仕切壁１６が押圧片３２の各溝３２ａに受容され、各端子２０が各仕切壁１６及び押圧片３２によって互いに隔離される。これにより、ＦＦＣ１の導線１ａと端子２０との接触によりウイスカーが発生した場合でも、隣接する端子２０のウイスカーによる短絡が防止される。
【００１７】
前述のようにスライド部材３０をコネクタ本体１０内に挿入すると、図７(a) に示すようにスライド部材３０の第１の係止部３３ａがコネクタ本体１０の第１の係止部１７ａに係止し、スライド部材３０の引き出し方向への移動が規制される。また、スライド部材３０を引き出す場合には、図７(b) に示すようにスライド部材３０の操作部３３ｄをスライド部材３０の幅方向内側に向かって押圧すると、可動部３３の後端側がスライド部材３０の幅方向外側に向かって移動し、スライド部材３０の第１の係止部３３ａがコネクタ本体１０の第１の係止部１７ａから外れる。次に、図７(c) に示すように操作部３３ｄを押圧したまま把持部３４を把持してスライド部材３０を所定位置まで引き出すと、スライド部材３０の第２の係止部３３ｂがコネクタ本体１０の第２の係止部１７ｂに係止し、スライド部材３０の引き出し方向への移動が規制される。その際、操作部３３ｄの押圧により、スライド部材３０の第２の係止部３３ｂがコネクタ本体１０の第２の係止部１７ｂ側に押圧された状態で各第２の係止部３３ｂ，１７ｂが互いに係止することから、スライド部材３０に引き出し方向への過大な力が加わっても、各第２の係止部３３ｂ，１７ｂの係止状態が容易に解除されることがない。
【００１８】
このように、本実施形態のコネクタによれば、スライド部材３０を引き出す際、スライド部材３０の操作部３３ｄを押圧することにより、可動部３３の後端側をスライド部材３０の幅方向外側に向かって移動させ、操作部３３ｄを押圧したまま把持部３４を把持してスライド部材３０を所定位置まで引き出すと、スライド部材３０の第２の係止部３３ｂがコネクタ本体１０の第２の係止部１７ｂ側に押圧された状態で各第２の係止部３３ｂ，１７ｂが互いに係止するようにしたので、スライド部材３０に引き出し方向への過大な力が加わっても、各第２の係止部３３ｂ，１７ｂの係止状態が容易に解除されることがなく、スライド部材３０の引き抜きを効果的に防止することができる。
【００１９】
また、可動部３３の前後方向略中央から保持部３１側に延びる弾性部３３ｃの弾性変形により可動部３３の後端側を幅方向に移動させるようにしたので、可動部３３を僅かな力で容易に動作させることができ、操作性の向上を図ることができる。
【００２０】
更に、可動部３３の操作部３３ｄをスライド部材３０の把持部３４の近傍に設け、操作部３３ｄを押圧したまま把持部３４を把持可能にしたので、操作部３３ｄの押圧と把持部３４の把持を指先で同時に行うことができ、操作性をより向上させることができる。
【図面の簡単な説明】
【００２１】
【図１】本発明の一実施形態を示すコネクタの斜視図
【図２】コネクタの分解斜視図
【図３】コネクタの要部平面図
【図４】コネクタの要部平面断面図
【図５】図４のＡ−Ａ線矢視方向要部断面図
【図６】コネクタの動作を示す側面断面図
【図７】コネクタの要部平面断面図
【符号の説明】
【００２２】
１…ＦＦＣ、１０…コネクタ本体、１７ａ…第１の係止部、１７ｂ…第２の係止部、２０…端子、３０…スライド部材、３３…可動部、３３ａ…第１の係止部、３３ｂ…第２の係止部、３３ｃ…弾性部、３３ｄ…操作部、３４…把持部。
【図１】
2008103121.tif 000003
【図２】
2008103121.tif 000004
【図３】
2008103121.tif 000005
【図４】
2008103121.tif 000006
【図５】
2008103121.tif 000007
【図６】
2008103121.tif 000008
【図７】
2008103121.tif 000009